【手続補正書】
【提出日】平成19年11月20日(2007.11.20)
【手続補正１】
【補正対象書類名】明細書
【補正対象項目名】発明の名称
【補正方法】変更
【補正の内容】
【発明の名称】印刷制御装置および印刷制御方法およびプログラム
【手続補正２】
【補正対象書類名】明細書
【補正対象項目名】特許請求の範囲
【補正方法】変更
【補正の内容】
【特許請求の範囲】
【請求項１】  アプリケーションからの印刷要求を処理して、印刷装置が印刷処理可能な印刷データを生成する印刷制御装置であって、
アプリケーションからの入力に基づき文書の入力用紙サイズ及び、前記印刷装置で印刷される印刷データの出力用紙サイズとを設定する用紙サイズ設定手段と、
前記用紙サイズ設定手段により設定される入力用紙サイズ及び出力用紙サイズに基づいて、印刷データを生成する生成手段とを有し、
前記用紙サイズ設定手段による前記入力用紙サイズの設定の際に、前記印刷装置でサポートしている用紙サイズと前記印刷装置でサポートしていない用紙サイズとを識別して表示させることを特徴とする印刷制御装置。
【請求項２】  前記用紙サイズ設定手段は、印刷設定を行うためのユーザインタフェース画面を介して入力される指示に応じて、入力用紙サイズ及び出力用紙サイズを設定することを特徴とする請求項１記載の印刷制御装置。
【請求項３】  前記用紙サイズ設定手段により設定される入力用紙サイズが前記印刷装置でサポートしていない用紙サイズである場合に、印刷方法の設定として変倍印刷を自動設定する印刷方法設定手段を更に有することを特徴とする請求項１または２記載の印刷制御装置。
【請求項４】  前記印刷方法設定手段は、前記用紙サイズ設定手段により設定される入力用紙サイズが前記印刷装置でサポートしていない用紙サイズである場合に、印刷方法の設定として変倍印刷が自動設定された後、ユーザインタフェース画面を介して入力される指示に応じて印刷方法を変更可能とすることを特徴とする請求項３記載の印刷制御装置。
【請求項５】  前記用紙サイズ設定手段は、前記印刷装置でサポートしていない用紙サイズに対応する入力用紙サイズの用紙名称の近傍にサポートしていないことを示すマークを付加して表示させることを特徴とする請求項１乃至４のいずれかに記載の印刷制御装置。
【請求項６】  アプリケーションからの印刷要求を処理して、印刷装置が印刷処理可能な印刷データを生成する印刷制御方法であって、
アプリケーションからの入力に基づき文書の入力用紙サイズ及び、前記印刷装置で印刷される印刷データの出力用紙サイズとを設定する用紙サイズ設定工程と、
前記用紙サイズ設定工程で設定される入力用紙サイズ及び出力用紙サイズに基づいて、印刷データを生成する生成工程とを含み、
前記用紙サイズ設定工程による前記入力用紙サイズの設定の際に、前記印刷装置でサポートしている用紙サイズと前記印刷装置でサポートしていない用紙サイズとを識別して表示させることを特徴とする印刷制御方法。
【請求項７】  前記用紙サイズ設定工程は、印刷設定を行うためのユーザインタフェース画面を介して入力される指示に応じて、入力用紙サイズ及び出力用紙サイズを設定することを特徴とする請求項６記載の印刷制御方法。
【請求項８】  前記用紙サイズ設定工程で設定される入力用紙サイズが前記印刷装置でサポートしていない用紙サイズである場合に、印刷方法の設定として変倍印刷を自動設定する印刷方法設定工程を更に含むことを特徴とする請求項６または７記載の印刷制御方法。
【請求項９】  前記印刷方法設定工程は、前記用紙サイズ設定工程で設定される入力用紙サイズが前記印刷装置でサポートしていない用紙サイズである場合に、印刷方法の設定として変倍印刷が自動設定された後、ユーザインタフェース画面を介して入力される指示に応じて印刷方法を変更可能とすることを特徴とする請求項８記載の印刷制御方法。
【請求項１０】  前記用紙サイズ設定工程は、前記印刷装置でサポートしていない用紙サイズに対応する入力用紙サイズの用紙名称の近傍にサポートしていないことを示すマークを付加して表示させることを特徴とする請求項６乃至９のいずれかに記載の印刷制御方法。
【請求項１１】  アプリケーションからの印刷要求を処理して、印刷装置が印刷処理可能な印刷データを生成する印刷制御装置で実行可能なプログラムあって、
アプリケーションからの入力に基づき文書の入力用紙サイズ及び、前記印刷装置で印刷される印刷データの出力用紙サイズとを設定する用紙サイズ設定工程と、
前記用紙サイズ設定工程で設定される入力用紙サイズ及び出力用紙サイズに基づいて、印刷データを生成する生成工程とを前記印刷制御装置に実行させ、
前記用紙サイズ設定工程による前記入力用紙サイズの設定の際に、前記印刷装置でサポートしている用紙サイズと前記印刷装置でサポートしていない用紙サイズとを識別して表示するべく、前記印刷制御装置に実行させることを特徴とするプログラム。
【請求項１２】  前記用紙サイズ設定工程は、印刷設定を行うためのユーザインタフェース画面を介して入力される指示に応じて、入力用紙サイズ及び出力用紙サイズを設定するべく、前記印刷制御装置を実行させることを特徴とする請求項１１記載のプログラム。
【請求項１３】  前記用紙サイズ設定工程で設定される入力用紙サイズが前記印刷装置でサポートしていない用紙サイズである場合に、印刷方法の設定として変倍印刷を自動設定する印刷方法設定工程を更に印刷制御装置に実行させることを特徴とする請求項１１または１２記載のプログラム。
【請求項１４】  前記印刷方法設定工程は、前記用紙サイズ設定工程で設定される入力用紙サイズが前記印刷装置でサポートしていない用紙サイズである場合に、印刷方法の設定として変倍印刷が自動設定された後、ユーザインタフェース画面を介して入力される指示に応じて印刷方法を変更可能とすることように印刷制御装置に実行させることを特徴とする請求項１３記載のプログラム。
【請求項１５】  前記用紙サイズ設定工程は、前記印刷装置でサポートしていない用紙サイズに対応する入力用紙サイズの用紙名称の近傍にサポートしていないことを示すマークを付加して表示すべく印刷制御装置に実行させることを特徴とする請求項１１乃至１４のいずれかに記載のプログラム。
【請求項１６】  アプリケーションからの印刷要求を処理して、プリンタドライバを用いて印刷装置が印刷処理可能な印刷データを生成する情報処理装置であって、
印刷設定項目の設定値を設定するためのプリンタドライバのユーザインタフェース画面を表示する表示手段と、
プリンタドライバの入力用紙サイズとしてサポートされる用紙サイズが、プリンタの出力用紙サイズとしてサポートされているか否かを判断する判断手段と、
前記判断手段により前記入力用紙サイズの用紙サイズがプリンタの出力用紙サイズとしてサポートされていると判断された場合、前記表示手段は、該用紙サイズの用紙名称を、前記ユーザインタフェース画面の入力用紙サイズリストに表示し、
前記判断手段により前記入力用紙サイズの用紙サイズがプリンタの出力用紙サイズとしてサポートされていないと判断された場合、前記表示手段は、該用紙サイズの用紙名称を、リサイズ処理が実行されることを示すマークと共に、前記ユーザインタフェース画面の入力用紙サイズリストに表示することを特徴とする情報処理装置。
【請求項１７】  アプリケーションからの印刷要求を処理して、プリンタドライバを用いて印刷装置が印刷処理可能な印刷データを生成する情報処理方法であって、
印刷設定項目の設定値を設定するためのプリンタドライバのユーザインタフェース画面を表示させる表示制御工程と、
プリンタドライバの入力用紙サイズとしてサポートされる用紙サイズが、プリンタの出力用紙サイズとしてサポートされているか否かを判断する判断工程と、
前記判断工程により前記入力用紙サイズの用紙サイズがプリンタの出力用紙サイズとしてサポートされていると判断された場合、前記表示制御工程は、該用紙サイズの用紙名称を、前記ユーザインタフェース画面の入力用紙サイズリストに表示させ、
前記判断工程により前記入力用紙サイズの用紙サイズがプリンタの出力用紙サイズとしてサポートされていないと判断された場合、前記表示制御工程は、該用紙サイズの用紙名称を、リサイズ処理が実行されることを示すマークと共に、前記ユーザインタフェース画面の入力用紙サイズリストに表示させることを特徴とする情報処理方法。
【請求項１８】  アプリケーションからの印刷要求を処理して、印刷装置が印刷処理可能な印刷データを生成するプログラムあって、
印刷設定項目の設定値を設定するためのユーザインタフェース画面を表示させる表示制御工程と、
プリンタドライバの入力用紙サイズとしてサポートされる用紙サイズが、プリンタの出力用紙サイズとしてサポートされているか否かを判断する判断手段と、
前記判断手段により前記入力用紙サイズの用紙サイズがプリンタの出力用紙サイズとしてサポートされていると判断された場合、前記表示制御工程は、該用紙サイズの用紙名称を、前記ユーザインタフェース画面の入力用紙サイズリストに表示させ、
前記判断手段により前記入力用紙サイズの用紙サイズがプリンタの出力用紙サイズとしてサポートされていないと判断された場合、前記表示制御工程は、該用紙サイズの用紙名称を、リサイズ処理が実行されることを示すマークと共に、前記ユーザインタフェース画面の入力用紙サイズリストに表示させることを特徴とするプログラム。
【手続補正３】
【補正対象書類名】明細書
【補正対象項目名】０００７
【補正方法】変更
【補正の内容】
【０００７】
【課題を解決するための手段】
上記課題を解決するために、本発明はアプリケーションからの印刷要求を処理して、印刷装置が印刷処理可能な印刷データを生成する印刷制御装置であって、アプリケーションからの入力に基づき文書の入力用紙サイズ及び、前記印刷装置で印刷される印刷データの出力用紙サイズとを設定する用紙サイズ設定手段と、前記用紙サイズ設定手段により設定される入力用紙サイズ及び出力用紙サイズに基づいて、印刷データを生成する生成手段とを有し、前記用紙サイズ設定手段による前記入力用紙サイズの設定の際に、前記印刷装置でサポートしている用紙サイズと前記印刷装置でサポートしていない用紙サイズとを識別して表示させることを特徴とする。
【手続補正４】
【補正対象書類名】明細書
【補正対象項目名】０００８
【補正方法】変更
【補正の内容】
【０００８】
更に、本発明は、アプリケーションからの印刷要求を処理して、プリンタドライバを用いて印刷装置が印刷処理可能な印刷データを生成する情報処理装置であって、印刷設定項目の設定値を設定するためのプリンタドライバのユーザインタフェース画面を表示する表示手段と、プリンタドライバの入力用紙サイズとしてサポートされる用紙サイズが、プリンタの出力用紙サイズとしてサポートされているか否かを判断する判断手段と、前記判断手段により前記入力用紙サイズの用紙サイズがプリンタの出力用紙サイズとしてサポートされていると判断された場合、前記表示手段は、該用紙サイズの用紙名称を、前記ユーザインタフェース画面の入力用紙サイズリストに表示し、前記判断手段により前記入力用紙サイズの用紙サイズがプリンタの出力用紙サイズとしてサポートされていないと判断された場合、前記表示手段は、該用紙サイズの用紙名称を、リサイズ処理が実行されることを示すマークと共に、前記ユーザインタフェース画面の入力用紙サイズリストに表示することを特徴とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】